(57)【要約】【課題】乾燥室内に配置される乾燥対象物の乾燥状態の斑を抑制することが可能な乾燥装置を提供する。【解決手段】乾燥装置１は、水平方向を回転の軸方向として回転するとともに乾燥対象物２に向かって風を送るファン４、５と、霧状の水を噴射するノズル６、７と、これらの構成が収容される乾燥室９とを備えている。ファン４とファン５とは、乾燥対象物２を挟むように対向配置されている。ファン４とファン５との対向方向を第１方向とすると、ノズル６は、第１方向において乾燥対象物２とファン４との間に配置されるとともに乾燥対象物２およびファン４よりも上側に配置され、ノズル７は、第１方向において乾燥対象物２とファン５との間に配置されるとともに乾燥対象物２およびファン５よりも上側に配置されている。【選択図】図１
2015017783.tif 000002
【特許請求の範囲】
【請求項１】
水平方向を回転の軸方向として回転するとともに乾燥対象物に向かって風を送る第１ファンおよび第２ファンと、霧状の水を噴射する第１ノズルおよび第２ノズルと、前記乾燥対象物と前記第１ファンと前記第２ファンと前記第１ノズルと前記第２ノズルとが収容される乾燥室とを備え、
前記第１ファンと前記第２ファンとは、前記乾燥対象物を挟むように対向配置され、
前記第１ファンと前記第２ファンとの対向方向を第１方向とすると、
前記第１ノズルは、前記第１方向において前記乾燥対象物と前記第１ファンとの間に配置されるとともに前記乾燥対象物および前記第１ファンよりも上側に配置され、
前記第２ノズルは、前記第１方向において前記乾燥対象物と前記第２ファンとの間に配置されるとともに前記乾燥対象物および前記第２ファンよりも上側に配置されていることを特徴とする乾燥装置。
【請求項２】
前記乾燥対象物が載置される載置台を備え、
前記第１ファンの回転直径および前記第２ファンの回転直径は、前記載置台に載置される前記乾燥対象物の、上下方向における載置範囲以上となっていることを特徴とする請求項１記載の乾燥装置。
【請求項３】
前記第１ファンおよび前記第２ファンの回転直径の下端は、上下方向において、前記乾燥対象物の上下方向の載置範囲の下限と一致しているか、または、前記乾燥対象物の上下方向の載置範囲の下限よりも下側に配置されており、
前記第１ファンおよび前記第２ファンの回転直径の上端は、上下方向において、前記乾燥対象物の上下方向の載置範囲の上限と一致しているか、または、前記乾燥対象物の上下方向の載置範囲の上限よりも上側に配置されていることを特徴とする請求項２記載の乾燥装置。
【請求項４】
前記乾燥対象物が載置される載置台と、複数の前記第１ファンと、複数の前記第２ファンとを備え、
前記第１方向と上下方向とに直交する方向を第２方向とすると、
複数の前記第１ファンおよび複数の前記第２ファンは、前記第２方向に配列され、
前記第２方向における複数の前記第１ファンの設置範囲および前記第２方向における複数の前記第２ファンの設置範囲は、前記載置台に載置される前記乾燥対象物の、前記第２方向における載置範囲以上となっていることを特徴とする請求項１から３のいずれかに記載の乾燥装置。
【請求項５】
前記乾燥対象物が載置される載置台と、複数の前記第１ノズルと、複数の前記第２ノズルとを備え、
前記第１方向と上下方向とに直交する方向を第２方向とすると、
複数の前記第１ノズルおよび複数の前記第２ノズルは、前記第２方向に配列され、
前記第２方向における複数の前記第１ノズルの設置範囲および前記第２方向における複数の前記第２ノズルの設置範囲は、前記載置台に載置される前記乾燥対象物の、前記第２方向における載置範囲以上となっていることを特徴とする請求項１から４のいずれかに記載の乾燥装置。
【請求項６】
前記第１ノズルおよび前記第２ノズルは、真下に向かって霧状の水を噴射することを特徴とする請求項１から５のいずれかに記載の乾燥装置。
【請求項７】
前記第１ファンと前記第２ファンとは、所定の周期で交互に回転することを特徴とする請求項１から６のいずれかに記載の乾燥装置。
【発明の詳細な説明】
【技術分野】
【０００１】
本発明は、木材等の乾燥対象物を乾燥させるための乾燥装置に関する。
【背景技術】
【０００２】
従来、気密性および断熱性が確保された乾燥室の中で木材を乾燥させる木材乾燥装置が知られている（たとえば、特許文献１参照）。特許文献１に記載の木材乾燥装置は、乾燥室内の空気循環を行うための送風機と、乾燥室内の空気の循環路に配置される加熱装置および加湿装置と、乾燥室内へ外気を取り込むための給気ファンと、乾燥室内の空気を排出するための排気ファンとを備えている。この木材乾燥装置では、木材は、台車上に桟木を介して段積みされている。送風機および加熱装置は、乾燥室の天井面に設置されており、段積みされる木材よりも上側に配置されている。加湿装置は、乾燥室の下部に設置されており、段積みされる木材よりも下側に配置されている。
【先行技術文献】
【特許文献】
【０００３】
【特許文献１】特開２００５−２２５１０３号公報
【発明の概要】
【発明が解決しようとする課題】
【０００４】
特許文献１に記載の木材乾燥装置では、乾燥室内の空気循環を行うための送風機が段積みされる木材よりも上側に配置され、加湿装置が段積みされる木材よりも下側に配置されている。そのため、段積みされる木材のうちの上側に配置される木材に当たる風の強さよりも下側に配置される木材に当たる風の強さが弱くなりやすく、また、上側に配置される木材に当たる風に含まれる湿気よりも下側に配置される木材に当たる風に含まれる湿気の方が多くなりやすい。したがって、この木材乾燥装置では、段積みされる木材の全体に湿気のばらつきの少ない風を均等に当てることは困難であり、その結果、乾燥室内に配置される木材の乾燥状態に斑が生じやすくなる。
【０００５】
そこで、本発明の課題は、乾燥室内に配置される乾燥対象物の乾燥状態の斑を抑制することが可能な乾燥装置を提供することにある。
【課題を解決するための手段】
【０００６】
上記の課題を解決するため、本発明の乾燥装置は、水平方向を回転の軸方向として回転するとともに乾燥対象物に向かって風を送る第１ファンおよび第２ファンと、霧状の水を噴射する第１ノズルおよび第２ノズルと、乾燥対象物と第１ファンと第２ファンと第１ノズルと第２ノズルとが収容される乾燥室とを備え、第１ファンと第２ファンとは、乾燥対象物を挟むように対向配置され、第１ファンと第２ファンとの対向方向を第１方向とすると、第１ノズルは、第１方向において乾燥対象物と第１ファンとの間に配置されるとともに乾燥対象物および第１ファンよりも上側に配置され、第２ノズルは、第１方向において乾燥対象物と第２ファンとの間に配置されるとともに乾燥対象物および第２ファンよりも上側に配置されていることを特徴とする。
【０００７】
本発明の乾燥装置では、第１ファンと第２ファンとが乾燥対象物を挟むように対向配置されている。また、本発明では、第１ノズルは、第１ファンと第２ファンとの対向方向となる第１方向において乾燥対象物と第１ファンとの間に配置されるとともに乾燥対象物および第１ファンよりも上側に配置され、第２ノズルは、第１方向において乾燥対象物と第２ファンとの間に配置されるとともに乾燥対象物および第２ファンよりも上側に配置されている。そのため、本発明では、第１ノズルから噴射されて落下してくる霧状の水を第１ファンによって分散させるとともに、分散させた霧状の水を含む風を、第１ファンによって第１方向の一方側から乾燥対象物に直接、当てることが可能になる。すなわち、本発明では、湿気のばらつきの少ない風を、第１ファンによって第１方向の一方側から乾燥対象物に直接、当てることが可能になる。また、本発明では、第２ノズルから噴射されて落下してくる霧状の水を第２ファンによって分散させるとともに、分散させた霧状の水を含む風を、第２ファンによって第１方向の他方側から乾燥対象物に直接、当てることが可能になる。すなわち、本発明では、湿気のばらつきの少ない風を、第２ファンによって第１方向の他方側から乾燥対象物に直接、当てることが可能になる。したがって、本発明では、乾燥室内に配置される乾燥対象物の全体に、湿気のばらつきの少ない風を均等に当てやすくなる。その結果、本発明では、乾燥室内に配置される乾燥対象物の乾燥状態の斑を抑制することが可能になる。
【０００８】
また、本発明では、第１ファンおよび第２ファンが送る風を用いて乾燥対象物を乾燥させているため、より低い温度で乾燥対象物を乾燥させることが可能になる。そのため、本発明では、乾燥対象物の割れや反りを減少させることが可能になり、乾燥対象物の歩留まりを向上させることが可能になる。また、本発明では、より低い温度で乾燥対象物を乾燥させることが可能になるため、たとえば、乾燥対象物が木材である場合には、木材特有の油分を残しつつ水分だけを飛ばすことが可能になり、その結果、今までに無かった粘り気のある木材を供給することが可能になる。また、この木材を住居に使うことで、狂いが少なく、かつ、吸放湿の良い快適な居室を確保することが可能になる。また、本発明では、第１ノズルおよび第２ノズルから噴射される霧状の水で加湿しつつ、より低い温度で乾燥対象物を乾燥させることが可能になるため、乾燥対象物の内部、表面、裏表の乾燥状態の斑を抑制することが可能になる。
【０００９】
本発明において、乾燥装置は、乾燥対象物が載置される載置台を備え、第１ファンの回転直径および第２ファンの回転直径は、載置台に載置される乾燥対象物の、上下方向における載置範囲以上となっていることが好ましい。この場合には、第１ファンおよび第２ファンの回転直径の下端は、上下方向において、乾燥対象物の上下方向の載置範囲の下限と一致しているか、または、乾燥対象物の上下方向の載置範囲の下限よりも下側に配置されており、第１ファンおよび第２ファンの回転直径の上端は、上下方向において、乾燥対象物の上下方向の載置範囲の上限と一致しているか、または、乾燥対象物の上下方向の載置範囲の上限よりも上側に配置されていることがより好ましい。このように構成すると、乾燥対象物に当たる風の強さの、上下方向のばらつきを抑制することが可能になる。したがって、載置台に載置される乾燥対象物の全体に、湿気のばらつきの少ない風をより均等に当てやすくなり、その結果、乾燥室内に配置される乾燥対象物の乾燥状態の斑を効果的に抑制することが可能になる。
【００１０】
本発明において、乾燥装置は、乾燥対象物が載置される載置台と、複数の第１ファンと、複数の第２ファンとを備え、第１方向と上下方向とに直交する方向を第２方向とすると、複数の第１ファンおよび複数の第２ファンは、第２方向に配列され、第２方向における複数の第１ファンの設置範囲および第２方向における複数の第２ファンの設置範囲は、載置台に載置される乾燥対象物の、第２方向における載置範囲以上となっていることが好ましい。このように構成すると、乾燥対象物に当たる風の強さの、第２方向のばらつきを抑制することが可能になる。したがって、載置台に載置される乾燥対象物の全体に、湿気のばらつきの少ない風をより均等に当てやすくなり、その結果、乾燥室内に配置される乾燥対象物の乾燥状態の斑を効果的に抑制することが可能になる。
【００１１】
本発明において、乾燥装置は、乾燥対象物が載置される載置台と、複数の第１ノズルと、複数の第２ノズルとを備え、第１方向と上下方向とに直交する方向を第２方向とすると、複数の第１ノズルおよび複数の第２ノズルは、第２方向に配列され、第２方向における複数の第１ノズルの設置範囲および第２方向における複数の第２ノズルの設置範囲は、載置台に載置される乾燥対象物の、第２方向における載置範囲以上となっていることが好ましい。このように構成すると、乾燥対象物に当たる風に含まれる湿気の、第２方向におけるばらつきを抑制することが可能になる。したがって、載置台に載置される乾燥対象物の全体に、湿気のばらつきのより少ない風を均等に当てやすくなり、その結果、乾燥室内に配置される乾燥対象物の乾燥状態の斑を効果的に抑制することが可能になる。
【００１２】
本発明において、第１ノズルおよび第２ノズルは、真下に向かって霧状の水を噴射することが好ましい。このように構成すると、第１ノズルから噴射されて落下してくる霧状の水を第１ファンによって効果的に分散させることが可能になるとともに、第２ノズルから噴射されて落下してくる霧状の水を第２ファンによって効果的に分散させることが可能になる。したがって、乾燥対象物の全体に、湿気のばらつきのより少ない風を均等に当てやすくなり、その結果、乾燥室内に配置される乾燥対象物の乾燥状態の斑を効果的に抑制することが可能になる。
【００１３】
本発明において、第１ファンと第２ファンとは、所定の周期で交互に回転することが好ましい。このように構成すると、第１ファンが送る風は、第２ファンに向かって乾燥対象物の配置場所を通り抜けやすくなり、第２ファンが送る風は、第１ファンに向かって乾燥対象物の配置場所を通り抜けやすくなる。したがって、第１ファンによって第１方向の一方側から乾燥対象物に効率的に風を当てることが可能になるとともに、第２ファンによって第１方向の他方側から乾燥対象物に効率的に風を当てることが可能になる。
【発明の効果】
【００１４】
以上のように、本発明の乾燥装置では、乾燥室内に配置される乾燥対象物の乾燥状態の斑を抑制することが可能になる。
【図面の簡単な説明】
【００１５】
【図１】本発明の実施の形態にかかる乾燥装置の構成を正面から説明するための図である。
【図２】図１に示す乾燥装置を側面から説明するための図である。
【図３】本発明の他の実施の形態にかかる乾燥装置を側面から説明するための図である。
【図４】本発明の他の実施の形態にかかるノズルを正面から説明するための図である。
【発明を実施するための形態】
【００１６】
以下、図面を参照しながら、本発明の実施の形態を説明する。
【００１７】
（乾燥装置の構成）
図１は、本発明の実施の形態にかかる乾燥装置１の構成を正面から説明するための図である。図２は、図１に示す乾燥装置１を側面から説明するための図である。以下の説明では、水平方向の一方（Ｘ方向）を左右方向とし、上下方向（鉛直方向）と左右方向とに直交する方向（Ｙ方向）を前後方向とする。また、Ｘ１方向側を「右」側、Ｘ２方向側を「左」側、Ｙ１方向側を「前」側、Ｙ２方向側を「後（後ろ）」側とする。
【００１８】
本形態の乾燥装置１は、乾燥対象物である木材２を乾燥させるための木材乾燥装置である。この乾燥装置１は、木材２が載置される載置台３と、木材２に向かって風を送るファン（羽根車）４およびファン（羽根車）５と、霧状の水（ミスト）を噴射するノズル６およびノズル７とを備えている。本形態の乾燥装置１は、１個のファン４と、１個のファン５と、複数のノズル６と、複数のノズル７とを備えている。載置台３とファン４、５とノズル６、７とは、乾燥室９の中に収容されている。また、乾燥装置１は、乾燥室９の温度を上げるための熱風機１１と、乾燥室９の内部を除湿するための除湿機１２とを備えている。なお、本形態のファン４は第１ファンであり、ファン５は第２ファンであり、ノズル６は第１ノズルであり、ノズル７は第２ノズルである。
【００１９】
載置台３は、乾燥室９の中央に設置されている。載置台３には、複数個の木材２が載置されている。載置台３は、たとえば、１段式の台であり、載置台３には、複数個の木材２が図示を省略する桟木を介して段積みされている。あるいは、載置台３は、上下方向で重なる複数の載置部（図示省略）を有する多段式の台であり、複数の載置部のそれぞれに、１個または複数個の木材２が載置されている。乾燥室９では、気密性と断熱性とが確保されている。乾燥室９の上面には、給気および排気を行うための給排気筒１３が取り付けられている。また、乾燥室９の前面には、木材２を出し入れするための開閉式の扉（図示省略）が取り付けられている。
【００２０】
熱風機１１および除湿機１２は、乾燥室９の後ろ側に配置されており、配管を介して乾燥室９の後側壁に接続されている。熱風機１１は、乾燥室９の下側部分に接続される配管から乾燥室９内の空気を吸い込んで、乾燥室９の上側部分に接続される配管から乾燥室９内へ熱風を送り込む。除湿機１２は、乾燥室９の下側部分に接続される配管から乾燥室９内の空気を吸い込んで、乾燥室９の上側部分に接続される配管から乾燥室９内へ除湿後の空気を送り込む。
【００２１】
ファン４は、載置台３の右側に配置されている。このファン４は、左右方向を軸方向として配置される回転軸１５の左端側に固定されている。回転軸１５は、軸受およびブラケットを介して乾燥室９の右側壁に回転可能に支持されている。回転軸１５の右端側は、乾燥室９の右側壁よりも右側へ突出しており、プールおよびベルトを介してモータ１６に接続されている。このプーリ、ベルトおよびモータ１６は、乾燥室９の外部に配置されている。本形態では、ファン４が左側に向かって風を送るように、モータ１６が一方向へ回転する。すなわち、本形態のファン４は、左右方向を回転の軸方向として回転して、左側へ向かって風を送る。
【００２２】
ファン５は、載置台３の左側に配置されている。このファン５は、左右方向を軸方向として配置される回転軸１７の左端側に固定されている。回転軸１７は、軸受およびブラケットを介して乾燥室９の左側壁に回転可能に支持されている。回転軸１７の左端側は、乾燥室９の左側壁よりも左側へ突出しており、プールおよびベルトを介してモータ１８に接続されている。このプーリ、ベルトおよびモータ１８は、乾燥室９の外部に配置されている。本形態では、ファン５が右側に向かって風を送るように、モータ１８が一方向へ回転する。すなわち、本形態のファン５は、左右方向を回転の軸方向として回転して、右側へ向かって風を送る。
【００２３】
上述のように、ファン４は載置台３の右側に配置され、ファン５は載置台３の左側に配置されている。また、ファン４、５は、前後方向におけるファン４、５の回転中心が前後方向における載置台３の中心と一致するように配置されている。また、ファン４とファン５とは同じ高さに配置されている。すなわち、ファン４とファン５とは、左右方向から見たときに、ファン４の回転中心とファン５の回転中心とが略一致するように配置されており、載置台３に載置される複数個の木材２を挟むように対向配置されている。具体的には、ファン４とファン５とは、複数個の木材２を左右方向で挟むように左右方向で対向配置されている。載置台３の右端とファン４との左右方向の距離は、載置台３の左端とファン５との左右方向の距離と等しくなっている。本形態の左右方向は、ファン４とファン５との対向方向であり、第１方向である。また、本形態の前後方向は、第１方向である左右方向と上下方向とに直交する第２方向である。
【００２４】
ファン４とファン５とは、同形状に形成されている。また、ファン４、５の回転直径Ｄは、載置台３に載置される木材２の、上下方向における載置範囲Ｌ１以上となっている。具体的には、回転直径Ｄは、載置範囲Ｌ１よりも大きくなっている。また、ファン４、５は、上下方向におけるファン４、５の回転中心と上下方向における載置範囲Ｌ１の中心とが略一致するように配置されている。そのため、ファン４、５の回転直径Ｄの下端ＤＬは、載置範囲Ｌ１の下限ＬＬよりも下側に配置され、ファン４、５の回転直径Ｄの上端ＤＵは、載置範囲Ｌの上限ＬＵよりも上側に配置されている。なお、ファン４の回転直径とファン５の回転直径とが異なっていても良い。
【００２５】
複数のノズル６は、前後方向に配列されている。本形態では、複数のノズル６は、前後方向に一定のピッチで一列に配列されている。また、複数のノズル６は、載置台３に載置される木材２の、前後方向における載置範囲Ｌ２の略全域に亘って配置されている。さらに、複数のノズル６は、左右方向において、載置台３に載置される木材２とファン４との間に配置されている。たとえば、複数のノズル６は、左右方向において、載置台３に載置される木材２の右端とファン４との間の略中心位置に配置されている。また、複数のノズル６は、載置台３に載置される木材２およびファン４よりも上側に配置されている。複数のノズル６は、所定の配管を介してポンプ（図示省略）に接続されている。複数のノズル６は、左下側に向かって霧状の水を噴射するように設置されており、載置台３に載置される木材２に向かって霧状の水を噴射する。
【００２６】
複数のノズル７は、前後方向に配列されている。本形態では、複数のノズル７は、前後方向に一定のピッチで一列に配列されている。また、複数のノズル７は、載置範囲Ｌ２の略全域に亘って配置されている（図２参照）。さらに、複数のノズル７は、左右方向において、載置台３に載置される木材２とファン５との間に配置されている。たとえば、複数のノズル７は、左右方向において、載置台３に載置される木材２の左端とファン５との間の略中心位置に配置されている。また、複数のノズル７は、載置台３に載置される木材２およびファン５よりも上側に配置されている。複数のノズル７は、所定の配管を介してポンプ（図示省略）に接続されている。複数のノズル７は、右下側に向かって霧状の水を噴射するように設置されており、載置台３に載置される木材２に向かって霧状の水を噴射する。
【００２７】
本形態では、複数のノズル６と複数のノズル７とが同じ高さに配置されている。また、載置台３の右端と複数のノズル６との左右方向の距離と、載置台３の左端と複数のノズル７との左右方向の距離とが等しくなっている。
【００２８】
以上のように構成された乾燥装置１では、載置台３に載置された木材２を乾燥させるときに、ファン４とファン５とが所定の周期で交互に回転する。また、乾燥室９内の湿度に応じて、ファン４が回転するときに、ノズル６が霧状の水を噴射し、ファン５が回転するときに、ノズル７が霧状の水を噴射する。
【００２９】
（本形態の主な効果）
以上説明したように、本形態では、ファン４とファン５とが載置台３に載置される複数個の木材２を挟むように対向配置されている。また、本形態では、左右方向において、複数のノズル６は、載置台３に載置される木材２とファン４との間に配置され、複数のノズル７は、左右方向において載置台３に載置される木材２とファン５との間に配置されるとともに、複数のノズル６、７は、載置台３に載置される木材２およびファン４、５よりも上側に配置されている。
【００３０】
そのため、本形態では、ノズル６から噴射されて落下してくる霧状の水をファン４によって分散させるとともに、分散させた霧状の水を含む風を、ファン４によって右側から木材２に直接、当てることができる。すなわち、本形態では、湿気のばらつきの少ない風を、ファン４によって右側から木材２に直接、当てることができる。また、本形態では、ノズル７から噴射されて落下してくる霧状の水をファン５によって分散させるとともに、分散させた霧状の水を含む風を、ファン５によって左側から木材２に直接、当てることができる。すなわち、湿気のばらつきの少ない風を、ファン５によって左側から木材２に直接、当てることができる。したがって、本形態では、載置台３に載置される複数個の木材２の全体に、湿気のばらつきの少ない風を均等に当てやすくなり、乾燥室９内に配置される木材２の乾燥状態の斑を抑制することが可能になる。
【００３１】
また、本形態では、ファン４、５の回転直径Ｄの下端ＤＬが、載置台３に載置される木材２の上下方向の載置範囲Ｌ１の下限ＬＬよりも下側に配置され、ファン４、５の回転直径Ｄの上端ＤＵが、載置範囲Ｌの上限ＬＵよりも上側に配置されている。そのため、本形態では、載置台３に載置される複数個の木材２に当たる風の強さの、上下方向のばらつきを抑制することが可能になる。したがって、本形態では、載置台３に載置される木材２の全体に、湿気のばらつきの少ない風をより均等に当てやすくなり、その結果、乾燥室９内に配置される木材２の乾燥状態の斑を効果的に抑制することが可能になる。
【００３２】
本形態では、ファン４とファン５とが所定の周期で交互に回転している。そのため、本形態では、ファン４が送る風は、ファン５に向かって載置台３を通り抜けやすくなり、ファン５が送る風は、ファン４に向かって載置台３を通り抜けやすくなる。したがって、本形態では、ファン４によって右側から木材２に効率的に風を当てることが可能になるとともに、ファン５によって左側から木材２に効率的に風を当てることが可能になる。
【００３３】
（他の実施の形態）
上述した形態では、乾燥装置１は１個のファン５を備えているが、乾燥装置１は前後方向に配列される複数のファン５を備えていても良い。乾燥装置１が複数のファン５を備えている場合には、複数のファン５の前後方向の設置範囲は、図３に示すように、載置台３に載置される木材２の前後方向の載置範囲Ｌ２よりも広くなっているか、あるいは、載置範囲Ｌ２と等しくなっていることが好ましい。すなわち、複数のファン５の前後方向の設置範囲は、載置範囲Ｌ２以上となっていることが好ましい。具体的には、最も前側に配置されるファン５の回転直径Ｄの前端が載置範囲Ｌ２の前端よりも前側に配置されるかまたは載置範囲Ｌ２の前端と一致するとともに、最も後ろ側に配置されるファン５の回転直径Ｄの後端が載置範囲Ｌ２の後端よりも後ろ側に配置されるかまたは載置範囲Ｌ２の後端と一致することが好ましい。同様に、上述した形態では、乾燥装置１は１個のファン４を備えているが、乾燥装置１は前後方向に配列される複数のファン４を備えていても良く、この場合には、複数のファン４の前後方向の設置範囲は、載置範囲Ｌ２以上となっていることが好ましい。
【００３４】
このように構成すると、載置台３に載置される複数個の木材２に当たる風の強さの、前後方向のばらつきを抑制することが可能になる。したがって、載置台３に載置される複数個の木材２の全体に、湿気のばらつきの少ない風をより均等に当てやすくなり、その結果、乾燥室９内に配置される木材２の乾燥状態の斑を効果的に抑制することが可能になる。なお、図３に示す例では、乾燥装置１は、３個のファン５を備えており、３個のファン５は、前後方向において一定のピッチで隣接配置されている。
【００３５】
上述した形態では、図２に示すように、前後方向に配列される複数のノズル７の前後方向の設置範囲は、載置台３に載置される木材２の前後方向の載置範囲Ｌ２よりも狭くなっているが、前後方向における複数のノズル７の設置範囲は、図３に示すように、載置範囲Ｌ２より広くなっていても良いし、載置範囲Ｌ２と等しくなっていても良い。すなわち、前後方向における複数のノズル７の設置範囲は、載置範囲Ｌ２以上となっていても良い。具体的には、最も前側に配置されるノズル７が載置範囲Ｌ２の前端よりも前側に配置されるかまたは載置範囲Ｌ２の前端と一致するとともに、最も後ろ側に配置されるノズル７が載置範囲Ｌ２の後端よりも後ろ側に配置されるかまたは載置範囲Ｌ２の後端と一致していても良い。同様に、上述した形態では、前後方向における複数のノズル６の設置範囲は、載置範囲Ｌ２よりも狭くなっているが、前後方向における複数のノズル６の設置範囲は、載置範囲Ｌ２以上となっていても良い。
【００３６】
この場合には、載置台３に載置される複数個の木材２に当たる風に含まれる湿気の前後方向のばらつきを抑制することが可能になる。したがって、載置台３に載置される複数個の木材２の全体に、湿気のばらつきのより少ない風を均等に当てやすくなり、その結果、乾燥室９内に配置される木材２の乾燥状態の斑を効果的に抑制することが可能になる。
【００３７】
上述した形態では、複数のノズル６は、左下側に向かって霧状の水を噴射するが、図４に示すように、複数のノズル６は、真下に向かって霧状の水を噴射しても良い。同様に、上述した形態では、複数のノズル７は、右下側に向かって霧状の水を噴射するが、複数のノズル７は、真下に向かって霧状の水を噴射しても良い。この場合には、ノズル６から噴射されて落下してくる霧状の水をファン４によって効果的に分散させることが可能になるとともに、ノズル７から噴射されて落下してくる霧状の水をファン５によって効果的に分散させることが可能になる。したがって、載置台３に載置される複数個の木材２の全体に、湿気のばらつきのより少ない風を均等に当てやすくなり、その結果、乾燥室９内に配置される木材２の斑を効果的に抑制することが可能になる。
【００３８】
上述した形態では、ファン４、５の回転直径Ｄの下端ＤＬは、載置範囲Ｌ１の下限ＬＬよりも下側に配置され、回転直径Ｄの上端ＤＵは、載置範囲Ｌの上限ＬＵよりも上側に配置されているが、下端ＤＬは、下限ＬＬより上側に配置されても良いし、上端ＤＵは、上限ＬＵより下側に配置されても良い。また、上下方向において、下端ＤＬと下限ＬＬとが一致していても良いし、上端ＤＵと上限ＬＵとが一致していても良い。また、上述した形態では、回転直径Ｄは、載置台３に載置される木材２の上下方向の載置範囲Ｌ１以上となっているが、回転直径Ｄは、載置範囲Ｌ１より小さくても良い。
【００３９】
上述した形態では、載置台３に載置された木材２を乾燥させるときに、ファン４とファン５とが所定の周期で交互に回転するが、木材２を乾燥させるときに、ファン４とファン５とが同時に回転しても良い。この場合には、たとえば、ノズル６、７が霧状の水を同時に噴射する。また、上述した形態では、乾燥装置１は、木材２を乾燥させているが、乾燥装置１は、木材２以外の乾燥対象物を乾燥させても良い。たとえば、乾燥装置１は、薬草等の植物を乾燥させても良い。
【符号の説明】
【００４０】
１  乾燥装置
２  木材（乾燥対象物）
３  載置台
４  ファン（第１ファン）
５  ファン（第２ファン）
６  ノズル（第１ノズル）
７  ノズル（第２ノズル）
９  乾燥室
Ｄ  回転直径
ＤＬ  回転直径の下端
ＤＵ  回転直径の上端
Ｌ１  乾燥対象物の上下方向の載置範囲
Ｌ２  乾燥対象物の第２方向の載置範囲
ＬＬ  乾燥対象物の上下方向の載置範囲の下限
ＬＵ  乾燥対象物の上下方向の載置範囲の上限
Ｘ  第１方向
Ｙ  第２方向
【図１】
2015017783.tif 000003
【図２】
2015017783.tif 000004
【図３】
2015017783.tif 000005
【図４】
2015017783.tif 000006